(57)【要約】【課題】寝返りが打ち易く、しかも寝返りを打って、横臥姿勢となっても、首が大きく曲がらず、寝返りを打っても首がガクンと傾くことのない枕を提供する。【解決手段】横臥姿勢になると、側頭部が凸条部５、７によって支持される。また、右部分３ｃは中央部分３ａより前後方向の幅寸法が大きく形成されているので、頬から顎にかけての部分が右部分３ｃによって支持され、しかも右部分３ｃが中央部分３ａより高く形成されているので、首がガクンと傾くことが防止される。  また、中央部分３ａと左右部分３ｂ、３ｃは一体に形成され、中央部分３ａの上面の左右部分側と左右部分の上面の中央部分側は連続する傾斜面１１となっているので、寝返りをスムーズに行うことができる。【選択図】        図４
2008067811.tif 000002
【特許請求の範囲】
【請求項１】
頭部が載る低位部と、前記低位部より肩の方向へ寄った位置に設けられ、低位部より高い凸条部とを有する枕であって、前記凸条部は左右方向へ延びており、凸条部の高さ寸法は左右方向の中央部分が低く、左右部分が高く形成されていることを特徴とする枕。
【請求項２】
請求項１に記載した枕において、凸条部の中央部分は左右部分より前後方向の幅寸法が小さく形成されていることを特徴とする枕。
【請求項３】
請求項１または２に記載した枕において、凸条部の中央部分の左右方向の幅寸法は人間の頭部の幅寸法より僅かに大きい寸法に形成されていることを特徴とする枕。
【請求項４】
請求項１から３のいずれかに記載した枕において、凸条部の中央部分と左右部分は一体に形成され、中央部分の上面の左右部分側と左右部分の上面の中央部分側は連続する傾斜面となっていることを特徴とする枕。
【請求項５】
請求項１から４のいずれかに記載した枕において、低位部の前側には低位部より高い高位部が形成されていることを特徴とする枕。
【請求項６】
請求項１から５のいずれかに記載した枕において、凸条部の中央部分の左右方向の幅寸法は１５ｃｍ〜２５ｃｍであることを特徴とする枕。
【請求項７】
請求項１から６のいずれかに記載した枕において、凸条部の中央部分の最も高い部位の寸法が３ｃｍから１０ｃｍで、左右部分の最も高い部位の寸法が４ｃｍから１２ｃｍであり、低位部の最も高い部位の寸法が２ｃｍから８ｃｍであることを特徴とする枕。
【請求項８】
請求項１から７のいずれかに記載した枕において、一部分の高さ寸法を変更して調節する高さ寸法調節手段を備えたことを特徴とする枕。
【発明の詳細な説明】
【技術分野】
【０００１】
本発明は枕に係り、特に仰向け姿勢、横臥姿勢においても快適な枕に関するものである。
【背景技術】
【０００２】
近年、睡眠についての関心が高まっており、枕も種々のものが開発されている。このひとつに枕の上面の中央に窪みを有するものが市販されている。これは窪みに頭が収まり安定して保持されるので、快適な睡眠が得られるというものである。
【発明の開示】
【発明が解決しようとする課題】
【０００３】
しかしながら、上記従来の枕は仰向けに寝た姿勢では後頭部が窪みに収まり、安定する反面、寝返りが打ち難いという欠点がある。
また、寝返りを打ち、仰向け姿勢から横臥姿勢になると、肩の側部が下側になるので、仰向け姿勢の状態よりも頭部と床面（布団の上面）との距離が大きくなり、側頭部を枕の上面に付けた状態でも首が大きく曲がった状態となる。このため、寝返りを打つ度に首がガクンと傾いてしまい、目が覚めてしまうことさえある。
寝返りは、一晩で三十回以上も行うものであり、快眠する上で重要なものである。
本発明は上記従来の問題点に着目して為されたものであり、寝返りが打ち易く、しかも寝返りを打って横臥姿勢となっても、首が大きく曲がらず、寝返りを打っても首がガクンと傾くことのない枕を提供することを、その目的とする。
【課題を解決するための手段】
【０００４】
本発明は上記課題を解決するためになされたものであり、請求項１の発明は、頭部が載る低位部と、前記低位部より肩の方向へ寄った位置に設けられ、低位部より高い凸条部とを有する枕であって、前記凸条部は左右方向へ延びており、凸条部の高さ寸法は左右方向の中央部分が低く、左右部分が高く形成されていることを特徴とする枕である。
【０００５】
請求項２の発明は、請求項１に記載した枕において、凸条部の中央部分は左右部分より前後方向の幅寸法が小さく形成されていることを特徴とする枕である。
【０００６】
請求項３の発明は、請求項１または２に記載した枕において、凸条部の中央部分の左右方向の幅寸法は人間の頭部の幅寸法より僅かに大きい寸法に形成されていることを特徴とする枕である。
【０００７】
請求項４の発明は、請求項１から３のいずれかに記載した枕において、凸条部の中央部分と左右部分は一体に形成され、中央部分の上面の左右部分側と左右部分の上面の中央部分側は連続する傾斜面となっていることを特徴とする枕である。
【０００８】
請求項５の発明は、請求項１から４のいずれかに記載した枕において、低位部の前側には低位部より高い高位部が形成されていることを特徴とする枕である。
【０００９】
請求項６の発明は、請求項１から５のいずれかに記載した枕において、凸条部の中央部分の左右方向の幅寸法は１５ｃｍ〜２５ｃｍであることを特徴とする枕である。
【００１０】
請求項７の発明は、請求項１から６のいずれかに記載した枕において、凸条部の中央部分の最も高い部位の寸法が３ｃｍから１０ｃｍで、左右部分の最も高い部位の寸法が４ｃｍから１２ｃｍであり、低位部の最も高い部位の寸法が２ｃｍから８ｃｍであることを特徴とする枕である。
【００１１】
請求項８の発明は、請求項１から７のいずれかに記載した枕において、一部分の高さ寸法を変更して調節する高さ寸法調節手段を備えたことを特徴とする枕である。
【発明の効果】
【００１２】
本発明の枕によれば、寝返りが打ち易く、しかも寝返りを打って横臥姿勢となっても、首が大きく曲がらず、寝返りを打っても首がガクンと傾くことがない。従って、寝返りを打っても目が覚めてしまうようなことがなく、快眠することが可能となる。
【発明を実施するための最良の形態】
【００１３】
本発明の実施の形態１に係る枕１を図１から図５にしたがって説明する。
枕１はナイロン織布等の袋２内にビーズやそば殻等の内容物６を封入して構成されている。枕１の上面には左右方向へ延びる４つの凸条部３、５、７、９が設けられている。なお本明細書においては図２、図４における左右方向をそのまま左右方向とし、上方を前側、下方を後側とする。
また、袋２の後端部にはファスナ２０が設けられ、後端部を開閉することができるようになっている。
【００１４】
上記凸条部３、５、７、９のうち、凸条部５、７によって低位部が構成され、凸条部３は凸条部５、７の後側、即ち人がこの枕１を使用して寝た場合に凸条部５、７より肩の方向へ寄った位置に設けられている。凸条部３、５、７、９の間には溝１０が形成されている。
【００１５】
凸条部３は凸条部５、７より高く設定されている。また、凸条部３の高さ寸法は左右方向の中央部分３ａが低く、左右部分３ｂ、３ｃが高く形成されている。中央部分３ａと左右部分３ｂ、３ｃは一体に形成され、中央部分３ａの上面の左右部分３ｂ、３ｃ側と、左右部分３ｂ、３ｃの上面の中央部分３ａ側は連続する傾斜面１１となっている。中央部分３ａは左右部分３ｂ、３ｃより前後方向の幅寸法が小さく形成されており、前側の部分には平面視円弧状に凹む凹部４が形成されている。即ち、左右部分３ｂ、３ｃは中央部分３ａより前後方向の幅寸法が大きく形成されている。
また中央部分３ａの左右方向の幅寸法は人間の頭部の幅寸法より僅かに大きい寸法に設定されている。
凸条部９によって高位部が構成され、凸条部９は凸条部５、７より前側に備えられており、凸条部５、７より高く設定されている。
【００１６】
この枕１の各寸法は次の通りである。
全体の左右方向の幅寸法Ｗ：５００ｍｍ
凸条部３の中央部分の左右方向の幅寸法Ｗ１：２５０ｍｍ
凸条部３の左右部分の左右方向の幅寸法Ｗ２：１２５ｍｍ
【００１７】
全体の前後方向の幅寸法Ｄ：３５０ｍｍ
凸条部３の中央部分の前後方向の最小幅寸法Ｄ１：７５ｍｍ
凸条部３の中央部分の前後方向の最大幅寸法Ｄ２：１２５ｍｍ
凸条部３の左右部分の前後方向の幅寸法Ｄ３：１２５ｍｍ
【００１８】
凸条部５の前後方向の最小幅寸法Ｄ４：５０ｍｍ
凸条部５の前後方向の最大幅寸法Ｄ５：７５ｍｍ
凸条部７の前後方向の幅寸法Ｄ６：５０ｍｍ
凸条部９の前後方向の幅寸法Ｄ７：７５ｍｍ
【００１９】
凸条部３の中央部分の最小高さ寸法Ｔ１：６０ｍｍ
凸条部３の中央部分の最大高さ寸法Ｔ２：８０ｍｍ
凸条部３の左右部分の最大高さ寸法Ｔ３：８０ｍｍ
凸条部５の最大高さ寸法Ｔ４：４０ｍｍ
凸条部７の最大高さ寸法Ｔ５：４０ｍｍ
凸条部９の最大高さ寸法Ｔ６：８０ｍｍ
【００２０】
次に、この枕１の使用方法について説明する。
図２、図３に示すように、仰向けの姿勢で寝ると、後頭部が凸条部５、７に当接する状態となる。凸条部５、７は凸条部３より低くなっており、しかも凹部４が形成されているので、後頭部が凸条部３に囲まれた領域に収まり安定した感じとなって、快適である。
【００２１】
仰向け姿勢で寝た状態から寝返りを打って、図４、図５に示すように横臥姿勢になると、側頭部が凸条部５、７によって支持される。また、右部分３ｃは中央部分３ａより前後方向の幅寸法が大きく形成されているので、頬から顎にかけての部分が右部分３ｃによって支持され、しかも右部分３ｃが中央部分３ａより高く形成されているので、首がガクンと傾くことが防止される。
また、中央部分３ａと左右部分３ｂ、３ｃは一体に形成され、中央部分３ａの上面の左右部分３ｂ、３ｃ側と、左右部分３ｂ、３ｃの上面の中央部分３ａ側は連続する傾斜面１１となっているので、寝返りをスムーズに行うことができる。
【００２２】
このように枕１によれば、寝返りが打ち易く、しかも寝返りを打って横臥姿勢となっても首が大きく曲がらず、首がガクンと傾くことがなくて、目が覚めるのを防止することができる。
なお、上記動作は右部分３ｃ側へ寝返りを打った場合を説明したが、左側へ寝返りを打った場合も同様である。
【００２３】
また、この枕１は凸条部９が設けられているので、体が前側へずり上がろうとしたとき、頭頂部が凸条部９に当り、体がそれ以上ずり上がるのを防止することができる。
なお、枕１は溝１０の部分で折り曲げて高くして、テレビジョン等を観る場合等に使用することも可能である。
【００２４】
本発明の実施の形態２に係る枕２１を図６から図８にしたがって説明する。
枕２１は以下の説明する高さ調節手段を具備する点を除き、実施の形態１に係る枕１とほぼ同じ構成を有しているので、同じ構成部分については実施の形態１で用いた符号を付して、その説明を省略する。
袋２の凸条部３に対応する天面部２３には面ファスナのプレート状の雌側部２５、２７、２９が縫い付けられている。雌側部２５、２７、２９は、中央部分３ａ、左部分３ｂ、右部分３ｃに対応して、それぞれ配置されている。また袋２の底面部３１には面ファスナのプレート状の雌側部３３、３５、３７が縫い付けられており、これら雌側部３３、３５、３７は天面部２３の雌側部２５、２７、２９に対向して配置されている。雌側部２５、２７、２９、３３、３５、３７は面ファスナのプレート状の雄側部４１ａ、４３ａ、４５ａ、４１ｂ、４３ｂ、４５ｂが接続される接続面を後側に向けて備えられている。
【００２５】
雄側部４１ａ、４３ａ、４５ａは高さ寸法が大きい大サイズのもので、雄側部４１ｂ、４３ｂ、４５ｂは雄側部４１ａ、４３ａ、４５ａより高さ寸法が小さい小サイズのものである。
高さ調節手段は、面ファスナの雌側部２５、２７、２９、３３、３５、３７と雄側部４１ａ、４３ａ、４５ａ、４１ｂ、４３ｂ、４５ｂによって構成されている。
【００２６】
次に枕２１の高さ寸法を調節する方法について説明する。
枕２１の高さ寸法を大きくしたい場合には、袋２のファスナ２０を開いて、後端部を開放する。そして、大サイズの雄側部４１ａを、雌側部２５、３３に、雄側部４３ａを雌側部２７、３５に、更に雄側部４５ａを雌側部２９、３７にそれぞれ取り付ける。この状態では雌側部２５と３３、雌側部２７と３５、雌側部２９と３７の間の寸法は縮まらないので、凸条部３は最も高い状態となる。
【００２７】
高さ寸法を小さくしたい場合には、ファスナ２０を開いて、後端部を開放して枕２１の袋２から内容物６を適量出して、内容物６の量を減らす。そして大サイズの雄側部４１ａ、４３ａ、４５ａを雌側部２５、２７、２９、３３、３５、３７から外して、その代わりに小サイズの雄側部４１ｂを雌側部２５、３３に、雄側部４３ｂを雌側部２７、３５に、更に雄側部４５ｂを雌側部２９、３７にそれぞれ取り付ける。この状態では雌側部２５と３３、雌側部２７と３５、雌側部２９と３７の間の寸法が縮まるので、凸条部３の中央部分３ａ、左部分３ｂ及び右部分３ｃの高さ寸法が小さくなる。
【００２８】
なお、小サイズ４１ｂ、４３ｂ、４５ｂから大サイズの雄側部４１ａ、４３ａ、４５ａに変える場合には、内容物６を袋２に戻すようにする。
このように、大サイズ雄側部４１ａ、４３ａ、４５ａと小サイズの雄側部４１ｂ、４３ｂ、４５ｂを選択して、雌側部２５、２７、２９、３３、３５、３７に取り付け、且つ内容物６の量を増減することにより、枕２１の一部分である中央部分３ａ、左部分３ｂ及び右部分３ｃの高さを変更して調節することができる。従って、枕２１を使用する者に最も適した高さに設定することが可能である。
【００２９】
以上、本発明の実施の形態について詳述してきたが、具体的構成は、この実施の形態に限られるものではなく、本発明の要旨を逸脱しない範囲における設計の変更などがあっても発明に含まれる。
例えば、凸条部９を設けない構成とすることも可能である。また、幅寸法、高さ寸法等のサイズは、上記実施の形態に限定されるものではなく、凸条部３の中央部分３ａの左右方向の幅寸法Ｗ１は１５ｃｍ〜２５ｃｍの範囲で設定可能である。また凸条部３の中央部分３ａの最も高い部位の寸法は３ｃｍから１０ｃｍの範囲で設定可能であり、左右部分３ｂ、３ｃの最も高い部位の寸法Ｔ３は４ｃｍから１２ｃｍの範囲で設定可能あり、更に低位部である凸条部５、７の最も高い部位の寸法Ｔ４、Ｔ５は２ｃｍから８ｃｍの範囲で設定可能ある。
【００３０】
実施の形態２において、雌側部２５、２７、２９を天面部２３に、また雌側部３３、３５、３７を底面部３１に縫い付けることによって固定しているが、固定方法はこれに限定されず、接着剤等によって固定してもよい。高さ調節ができる部分は凸条部３に限らず、凸条部５、７、９であってもよい、
また面ファスナの以外の固定手段、面ファスナに限らずホック等によって雌側部に対し雄側部を着脱する構成としてもよい。
枕１、２１の上面を覆う、ある程度の厚みをもったクッション部材を枕１、２１に取り付けてもよい。このようにすることでソフトな感触を得ることができる。
なお、内容物はビーズやそば殻等に限定されず、低反発性のスポンジ等自由に使用することが可能である。
【産業上の利用可能性】
【００３１】
本発明の枕は寝装具の分野において利用可能である。
【図面の簡単な説明】
【００３２】
【図１】本発明の実施の形態１に係る枕の斜視図である。
【図２】図１の枕を使用して仰向け姿勢に寝た状態の平面図である。
【図３】図２のＡ−Ａ断面図である。
【図４】図２の状態から寝返りを打って横臥姿勢に寝た状態の平面図である。
【図５】図４のＢ−Ｂ断面図である。
【図６】本発明の実施の形態２に係る枕の一部を破断した斜視図である。
【図７】図６の枕の高さを調節する方法を説明するための図である。
【図８】図６の枕の高さを調節する方法を説明するための図である。
【符号の説明】
【００３３】
１、２１  枕      ２  袋      ３、５、７、９  凸条部
３ａ  中央部分      ３ｂ  左部分      ３ｃ  右部分
４  凹部      ６  内容物      １０  溝      １１  傾斜面
２０  ファスナ      ２３  天面部      ３１  底面部
２５、２７、２９、３３、３５、３７  面ファスナの雌側部
４１ａ、４３ａ、４５ａ  面ファスナの大サイズの雄側部
４１ｂ、４３ｂ、４５ｂ  面ファスナの小サイズの雄側部
【図１】
2008067811.tif 000003
【図２】
2008067811.tif 000004
【図３】
2008067811.tif 000005
【図４】
2008067811.tif 000006
【図５】
2008067811.tif 000007
【図６】
2008067811.tif 000008
【図７】
2008067811.tif 000009
【図８】
2008067811.tif 000010